(57)【要約】【課題】車両のドアを開けた際、後方から接近する車両などの物体との接触が予想される場合に、搭乗者に直感的な注意喚起を行う。【解決手段】車両のドアを前記車両の内部から開く操作が行われた場合にその操作に対する警報を発する車両ドアの開閉警告装置において、前記ドアの内部に設けられたインサイドハンドルの開扉操作を検知する開扉センサと、自車両に後方から接近する物体を検知する後方車両センサと、前記インサイドハンドルを振動させる振動警報器とを備え、前記後方車両センサが自車両に後方から接触する前記物体を検知し、かつ前記開扉センサが搭乗者による前記インサイドハンドルの開扉操作を検知した際、前記振動警報器が動作して前記インサイドハンドルを振動させて前記搭乗者に警告を発するように構成されている。【選択図】図１
2015147434.tif 000002
【特許請求の範囲】
【請求項１】
車両のドアを前記車両の内部から開く操作が行われた場合にその操作に対する警報を発する車両ドアの開閉警告装置において、
前記ドアの内部に設けられたインサイドハンドルの開扉操作を検知する開扉センサと、自車両に後方から接近する物体を検知する後方車両センサと、前記インサイドハンドルを振動させる振動警報器とを備え、
前記後方車両センサが自車両に後方から接触する前記物体を検知し、かつ前記開扉センサが搭乗者による前記インサイドハンドルの開扉操作を検知した際、前記振動警報器が動作して前記インサイドハンドルを振動させて前記搭乗者に警告を発するように構成されている
ことを特徴とする車両ドアの開閉警告装置。
【発明の詳細な説明】
【技術分野】
【０００１】
この発明は、車両ドアの開扉操作について、搭乗者に警報を発する車両ドアの開閉警告装置に関するものである。
【背景技術】
【０００２】
搭乗者が降車しようとする際、自車両に後方から接近する車両などの物体が存在し、車両ドアの開扉操作によってその接近物体との接触が予想される場合に、搭乗者に通知するための装置や構成が従来提案されている。特許文献１ないし特許文献３には、自車両に後方から接近する物体を検知する手段と、開扉操作などの搭乗者による降車動作を検知する手段と、接近物体と車両ドアとの接触を未然に防止するための手段とを備えた車両ドアの開閉警告装置が記載されている。特許文献１の装置では、自車両に後方から接近する物体と車両ドアとの接触を未然に防止する手段として、警報またはドアロック、あるいは警報とドアロックの両方を行うものが用いられている。特許文献２には、搭乗者による降車動作が検出された際、接近物体の通過中には車両ドアをロックし、通過後に車両ドアをアンロックする構成が記載されている。また、特許文献３では、搭乗者への接近物体の存在の通知手段として、スピーカによる聴覚報知や車両ドアの開扉操作を強制的に禁止する方法のほか、車内シートに振動装置を組み込みこの振動装置を振動させることが提案されている。
【先行技術文献】
【特許文献】
【０００３】
【特許文献１】特開昭６０−９２１３５号公報
【特許文献２】特開２００２−２２５５６０号公報
【特許文献３】特開２００８−１５８５７８号公報
【発明の概要】
【発明が解決しようとする課題】
【０００４】
この特許文献１および特許文献３の装置では、自車両に後方から接近する車両などの物体が存在する場合に、その接近物体と車両ドアとの接触を防止する手段の一つとして、音による警報を発することにより搭乗者への注意喚起を行うようになっている。そのため、搭乗者が聴覚に障害がある場合や、騒音の大きな環境下などでは、有効な注意喚起を行うことができないおそれがある。また、前述の音による警報や特許文献３に記載の車両シートの振動による警報では、何に対する警報かを理解できないおそれもある。ドアを開けると後方を走行する車両と接触する可能性があることを理解できたとしても、搭乗者による警報の認識およびその警報対象を理解する過程を経た上でドアの開扉操作を停止するため、搭乗者に直感的な注意喚起を行うことはできないことが考えられ、この点に関して更なる改善の余地が残されていた。
【０００５】
また、この特許文献１ないし特許文献３に記載された装置において、自車両に後方から接近する物体と車両ドアとの接触を防止する別の手段として、ドアロックが提案されている。しかし、ドアがロックされてしまうと、装置の誤作動の場合や、搭乗者が如何してもドアを開けたい場合にも、ドアを開けることができなくなってしまう問題があった。
【０００６】
この発明は、上記の事情に鑑みてなされたものであって、ドアを開けた際に後方から接近する車両などの物体との接触が予想される場合に、搭乗者に対して適切な注意喚起を行うことのできる車両ドアの開閉警告装置を提供することを目的とするものである。
【課題を解決するための手段】
【０００７】
上記の目的を達成するために、この発明は、車両ドアを前記車両の内部から開く操作が行われた場合にその操作に対する警報を発する車両ドアの開閉警告装置において、前記ドアの内部に設けられたインサイドハンドルの開扉操作を検知する開扉センサと、自車両に後方から接近する物体を検知する後方車両センサと、前記インサイドハンドルを振動させる振動警報器とを備え、前記後方車両センサが自車両に後方から接触する前記物体を検知し、かつ前記開扉センサが搭乗者による前記インサイドハンドルの開扉操作を検知した際、前記振動警報器が動作して前記インサイドハンドルを振動させて前記搭乗者に警告を発するように構成されていることを特徴とするものである。
【発明の効果】
【０００８】
この発明によれば、自車両のドアと後方から接近する車両との接触の可能性がある場合にインサイドハンドルが振動するので、搭乗者はドアを開けることに何らかの不都合があることを認識し、ドアの開扉操作を直感的に中止することができる。その結果、自車両のドアと後方から接近する車両との接触を防ぐことができる。また、強制的にドアをロックすることがないので、ドアを開ける必要がある場合にも搭乗者の意志によりドアを開けることができる。
【図面の簡単な説明】
【０００９】
【図１】この発明に係る車両ドアの開閉警告装置で実行される制御ロジックを説明するためのブロック図である。
【図２】この発明に係る車両ドアの開閉警告装置が取り付けられるインサイドハンドルを示す図である。
【発明を実施するための形態】
【００１０】
この発明の実施例を図面に基づいて説明する。図１にブロック図で示すように、この発明に係る車両ドアの開閉警告装置は、後方車両センサ１と開扉センサ２と振動警報器３とから構成されている。
【００１１】
後方車両センサ１は、自車両に後方から接近する車両などの物体を検知するためのセンサであって、具体的には従来知られているブラインドスポットモニタのように、レーザレーダやミリ波レーダで後方の警報領域内に入った車両などの対象物を検知する手段が用いられる。なお、画像処理を用いて対象物を検知するセンサを用いることもできる。
【００１２】
開扉センサ２は、搭乗者によるドア５の開扉操作を検知するものであって、具体的には搭乗者がインサイドハンドル４に触れたことを検知する、従来知られているタッチセンサなどを採用することができる。なお、静電容量の変化によって信号を発するセンサのほか、搭乗者の接近によって信号を発する従来知られているセンサであってもよい。
【００１３】
振動警報器３は、開扉操作に対する警告を行うためのものであって、具体的には小型モータなどの振動を発生する機構などを採用することができる。
【００１４】
車両のドア５を開閉するためのハンドルであるインサイドハンドル４は、ドア５を車室内から開けるための取手であって、図２には一例として運転席に設けられたインサイドハンドル４が示されている。このインサイドハンドル４はドア５の内側に設けられ、前述した開扉センサ２ならびに振動警報器３が設けられている。
【００１５】
つぎに、この発明で実行される制御ロジックを図１のブロック図を用いて説明する。後方車両センサ１により、自車両に後方から接近し、ドア５を開けた際に接触の可能性がある車両の存在を検知すると、振動警報器３に信号が出力される。同様に、開扉センサ２により、搭乗者がインサイドハンドル４に接触したことを検知された場合に、振動警報器３に信号が出力される。この２つの信号を振動警報器３が受信した場合に、振動警報器３が動作し、インサイドハンドル４が振動する。その結果、搭乗者がインサイドハンドル４に触れた瞬間に、ドア５の開扉操作を停止させる直感的な警告を搭乗者に与えることができる。したがって、自車両のドア５と自車両に後方から接近する車両との接触を防ぐことができる。
【００１６】
搭乗者は、インサイドハンドル４の挙動変化を感知すると、その挙動変化が直前の操作である開扉操作に関連する危険を警告していることを直感的に認識することができる。また、搭乗者はインサイドハンドル４の振動を感知すると、反射的に振動源であるインサイドハンドル４から手を離そうとするため、開扉操作の直前に自然に開扉操作を中止することができる。したがって、この発明で採用したインサイドハンドル４の振動による警報は、何が警報対象であるのか瞬時に把握するのが困難である音による警報やシートの振動による警報に比べて極めて有効な注意喚起を行うことができる。
【００１７】
また、この発明ではドアを強制的にロックすることはないので、ドアに挟まった物体を取り除くためにドアを少し開けてから閉め直す場合など、警告に関わらずドアを開ける必要がある場合にも、搭乗者の意志によりドアを開けることができる。
【００１８】
なお、この発明に係る車両ドアの開閉警告装置は運転席側のドアのほか、補助席側のドアや後部席側のドアなどを対象として設定してもよい。また、この発明においては、インサイドハンドルに通常とは異なる挙動を付与すればよいのであって、その通常とは異なる挙動には上述した振動以外に、開扉ストロークもしくは開扉操作力が通常より増大するなどのことを含む。さらに、この発明では上述のようなインサイドハンドルの挙動の変化に加えて音やイルミネーションなどによる注意喚起を併用してもよい。
【符号の説明】
【００１９】
１…後方車両センサ、  ２…開扉センサ、  ３…振動警報器、  ４…インサイドハンドル  ５…ドア。
【図１】
2015147434.tif 000003
【図２】
2015147434.tif 000004